(57)【要約】      （修正有）【課題】  表面の一部に蓄光材を設けて蛍光を発するメガネであって、明るい蛍光を発することが出来ることで暗闇でも直ぐに認識可能なメガネの提供。【解決手段】  メガネのフレーム表面には凹溝９を形成し、該凹溝にはアルミン酸塩化合物を主成分に希土類元素の賦活剤を添加・焼成した蓄光材３を埋着し、そして表面には透明なクリア塗装８を施して保護している。【選択図】図２
0003119527.tif 000002
【実用新案登録請求の範囲】
【請求項１】
表面の一部に蓄光材を設けて蛍光を発することが出来るメガネにおいて、該メガネのフレーム表面には凹溝を形成し、該凹溝にはアルミン酸塩化合物を主成分に希土類元素の賦活剤を添加・焼成した蓄光材を埋着し、そして表面には透明なクリア塗装膜を形成したことを特徴とする蓄光材を備えたメガネ。
【請求項２】
上記蓄光材としてアルミン酸ストロンチウムを用いた請求項１記載の蓄光材を備えたメガネ。
【請求項３】
上記蓄光材を細かく砕いた粒子とし、この粒子をフレーム表面に形成した凹溝に詰めてその表面を透明なクリア塗装膜にて被覆した請求項１、又は請求項２記載の蓄光材を備えたメガネ。
【考案の詳細な説明】
【技術分野】
【０００１】
本考案は夜間の暗闇の中でも明るい蛍光を発することが出来るメガネに関するものである。
【背景技術】
【０００２】
メガネを常用する人は多く、その目的は近眼の矯正であり、老眼の矯正であり、時には乱視の矯正を行うことが出来る。しかし、帰宅して家に居る時にはメガネを外してリラックスする為に、メガネを必要とする際にはその置き場所が分からなくて探すことが多い。夜間に消灯してから急用を思い出してメガネを探すこともあり、このような場合には暗くてメガネの置き場所が分からない。
【０００３】
そこで、本考案が対象とするメガネはその表面から蛍光を発するように構成したものである。従来において、蛍光を発してその存在場所(存在位置)を人に知らしめるようにした物品は数多く知られている。例えば、傘の縁に蛍光塗料を塗布したり、自転車の後尾に蛍光部品を取付けたり、夜間の外出着の一部に蛍光を発する塗料を塗布するなど、その種類は非常に多い。
【０００４】
実用新案登録第３０５４２２８０号に係る「蛍光を発するメガネフレーム」は、蛍光を発するメガネフレームであって、長時間にわたって強い蛍光を発することが出来るように構成したもので、蓄光性顔料を混合した樹脂を用いて成形し、又は成形した部品を使用し、上記蓄光性顔料としてＳrＡL2Ｏ4 ：Ｅｕ、Ｄｙ、又はＳr4ＡL14 Ｏ25：Ｅｕ、Ｄｙ、又はＣa ＡＬ2 Ｏ4：Ｅｕ、Ｎｄ、さらにＺｎＳ：ＣｕやＬＣ−ＧＩＡを用いている。
【０００５】
実開昭６２−１９７１２５号に係る「メガネ」は、エポキシ樹脂を主成分として硬化剤、顔料、蛍光物質、その他の添加物を混練して成る塗料をメガネフレーム外表面に塗布・硬化させている。
このように、従来では蛍光物質を樹脂に混合し、これを用いてメガネフレームの部品を成形したり、又はメガネフレームの表面に塗布するなどの方法が採用されているが、照射される蛍光は弱くてその効果が低いのが現実である。
【０００６】
従って、従来の上記メガネでは交通事故を防止する為の効果は少ない。すなわち、歩道を歩いている人を自転車に乗った人が認識する為には明るい蛍光を発する必要がある。
【特許文献１】実用新案登録第３０５４２２８０号に係る「蛍光を発するメガネフレーム」
【特許文献２】実開昭６２−１９７１２５号に係る「メガネ」
【考案の開示】
【考案が解決しようとする課題】
【０００７】
このように従来の蛍光を発するメガネには上記のごとき問題がある。本考案が解決しようとする課題はこの問題点であり、明るい蛍光を発することが出来ることで暗闇でも直ぐに認識可能な蛍光を発することが出来、又交通事故の防止にも役立つメガネを提供する。
【課題を解決するための手段】
【０００８】
本考案に係るメガネは蛍光を表面から発することが出来るように構成したものであり、しかもその蛍光の明りが強くなるように、又蛍光を出す蓄光材をフレーム表面に設けることでメガネの外観が損なわれないような形態としている。そこで、メガネフレーム表面には凹溝を形成し、該凹溝に蓄光材を埋着し、この状態で表面に透明樹脂を塗布してクリア塗装膜にて被覆した構造と成っている。
【０００９】
本考案が対象とするメガネのフレームは金属製であったり、又は樹脂製であったりし、何れのフレーム表面にも凹溝が形成され、この凹溝に蓄光材が嵌って接着される。そして、上記蓄光材としては、アルミン酸塩化合物を主成分とし、希土類元素の賦活剤を添加焼成して構成され、具体的にはアルミン酸ストロンチウムが適しており、明るい蛍光を発する性質を備えている。勿論、該アルミン酸ストロンチウムに限定するものではない。
【考案の効果】
【００１０】
本考案のメガネは、そのフレーム表面に凹溝を形成し、該凹溝に蓄光材を埋着している為に、暗くなったところでは明るい蛍光を発することが出来る。従って、暗闇の中でもメガネを探すことは容易であり、該メガネを掛けていることで夜間に歩道を走る自転車と衝突することはなく、交通事故の防止にも役立つ。そして、蓄光材の表面には透明なクリア塗装が施される為に、蓄光材表面がキズ付くことはない。又、蓄光材を表面に露出しない外観とすることで、昼中においてもメガネの装飾性を発揮することが出来る。
【実施例】
【００１１】
図１は本考案の金属製メガネフレームを表している実施例であり、両リム１，１を連結している連結部材２の表面に蓄光材３を取付けている。メガネフレームは周知の通り、フロント部４の両側に設けたヨロイ５，５にツル６，６が折畳み出来るように蝶番などの継手を介して取付けられている。上記フロント部４は両リム１，１を連結部材２にてロウ付けし、リム１，１の外側にはヨロイ５，５がロウ付けされた形態となっている。そして、リム内側であって連結部材２の下方には鼻当てパット７，７が対を成して取付けられている。
【００１２】
ところで、上記連結部材２の表面には凹溝９が形成され、この凹溝９に蓄光材３が埋着されている。そして、その表面には透明なクリア塗装にてクリア塗装膜８が形成されて上記蓄光材３を保護している。図２は連結部材２の縦断面拡大図を表している。このように、凹溝９を設けて該凹溝９に蓄光材３を埋着することで蓄光材３の厚さが大きくなり、その為に該蓄光材３は強い蛍光を発することが出来る。
【００１３】
ところで、上記蓄光材３の種類は特に限定しないが、例えばアルミン酸ストロンチウムを用いることが出来、この蓄光材３は強い蛍光を発する性質を備えている。又、この蓄光材３は比較的軟らかいために、その表面をクリア塗装されて透明なクリア塗装膜８にて保護され、該蓄光材３にキズが付くことはない。上記アルミン酸ストロンチウムは、アルミン酸塩化合物を主成分とし、希土類元素の賦活剤を添加焼成したものであり、所定の形状に形成されて接着剤にて固着される。
【００１４】
図３はツル６に蓄光材３を設けている実施例である。メガネフレームの形態は前記図１の場合と同じであるが、蓄光材３を備えることでメガネとしての外観が異なり、別形態の意匠として向上する。上記蓄光材３はヨロイ５の先端付近から長く延びて設けられ、その為にツル６の外表面には凹溝を加工すると共に、該凹溝に埋着する蓄光材３が焼成して作られる。
【００１５】
図４は本考案の更なる別の実施例であり、モダン１０の表面に蓄光材３を設けている。該モダン１０は金属製メガネフレームのツル先端部に挿着される樹脂製部品であり、ツル６が耳に掛けられる状態で肌当りを良くすると共に、ツル６の金属面が直接当らないようにして、痛みを防止する。樹脂製のモダン１０はその形状を概略「へ」形とし、表面には凹溝を同時に一体成形している。
【００１６】
そして、該凹溝に蓄光材３が埋着されるが、モダン形状になじむように概略「へ」形の蓄光材を製作することは容易でない為に、又、「へ」形の形状はメガネを掛ける人の耳に合わせて調整される為に、粒子を凹溝に詰めて表面をクリア塗装される。すなわち、焼成して作られたアルミン酸ストロンチウムを砕いて細かい粒子とし、この粒子を上記凹溝に詰めることが出来る。勿論、粒子にバインダーとして樹脂を混入した状態で凹溝に詰めることも可能である。
【００１７】
ところで、前記図１、図３、図４に示すメガネフレームは金属製であるが、樹脂製のメガネフレームも対象とする。金属製のメガネフレームを構成する部品表面に凹溝を設けるには、工具を使用して切削加工を行う必要があるが、樹脂製メガネフレームであれば該凹溝を同時に成形することが可能であり簡単となる。
【００１８】
そして、蓄光材３を設ける箇所は前記実施例に限定するものではなく、ヨロイ５，５に蓄光材３を設けることもあり、リム１，１に蓄光材３を設けることも可能である。さらに、該蓄光材３は必ずしもフレーム表面に凹溝を設けると共に該凹溝に埋着しないで、表面に接着してフレームと共にクリア塗装することも出来る。
【図面の簡単な説明】
【００１９】
【図１】本考案の実施例であって、蓄光材を連結部材に備えたメガネ。
【図２】連結部材の縦断面拡大図。
【図３】本考案の実施例であって、蓄光材をツルに備えたメガネ。
【図４】本考案の実施例であって、蓄光材をモダンに備えたメガネ。
【符号の説明】
【００２０】
１  リム
２  連結部材
３  蓄光材
４  フロント部
５  ヨロイ
６  ツル
７  鼻当てパット
８  クリア塗装層
９  凹溝
【図１】
0003119527.tif 000003
【図２】
0003119527.tif 000004
【図３】
0003119527.tif 000005
【図４】
0003119527.tif 000006